(57)【特許請求の範囲】
【請求項１】
樹脂ケースにサーミスタ素子と端子とを設置し、前記樹脂ケースに前記端子をインサートするとともに取付部材を一体成形し、前記端子を前記サーミスタ素子の両端に接続するとともにこの接続部を前記樹脂ケース内に収容したサーミスタ温度センサーにおいて、前記樹脂ケースの側面に貫通した設置空間を形成し、前記サーミスタ素子をこの設置空間の両壁面に架け渡した状態で固定したことを特徴とするサーミスタ温度センサー。
【請求項２】
前記取付部材がボルト部材であることを特徴とする請求項１のサーミスタ温度センサー。
【請求項３】
前記取付部材がクリップ部材であることを特徴とする請求項１のサーミスタ温度センサー
【請求項４】
前記取付部材が圧入用ピンであることを特徴とする請求項１のサーミスタ温度センサー。
【請求項５】
前記樹脂ケースにコネクタ差込口を形成し、このコネクタ差込口の内部に前記端子の先端を突出させたことを特徴とする請求項１のサーミスタ温度センサー。
【発明の詳細な説明】
【技術分野】
【０００１】
この発明はサーミスタ温度センサーに関し、主として、自動車の配線板において油温
感知する際に使用されるものである。
【背景技術】
【０００２】
従来におけるこの種のサーミスタ温度センサーは、サーミスタ素子を樹脂ケースに設置し、このサーミスタ素子から延びる端子にリード線を接続し、この接続部を収縮チューブで覆い、この覆った部分に結束バンドを巻き掛け取り付けブラケットに固定したものであり、この取付ブラケットを介して配線板等にボルト止めされていた。
【０００３】
【特許文献１】特開２００１−３０７９０８号公報
【発明の開示】
【発明が解決しようとする課題】
【０００４】
しかしながら、かかる従来のサーミスタ温度センサーにあっては、上記したように部品点数が多いため、組み付けるにあたって手間がかかるとともに維持管理しにくく、また、取付ブラケットを介して配線板等に設置していたため、取付位置に合わせた取付ブラケットを使用しなければならず、取り付けるにあたって手間がかかるとともに作業コストも高額化せざるを得ないという不都合を有した。
【０００５】
この発明の課題はこの不都合を解消することである。
【課題を解決するための手段】
【０００６】
前記不都合を解消するために、この発明に係るサーミスタ温度センサーにおいては、樹脂ケースにサーミスタ素子と端子とを設置し、前記樹脂ケースに前記端子をインサートするとともに取付部材を一体成形し、前記端子を前記サーミスタ素子の両端に接続するとともにこの接続部を前記樹脂ケース内に収容したサーミスタ温度センサーにおいて、前記樹脂ケースの側面に貫通した設置空間を形成し、前記サーミスタ素子をこの設置空間の両壁面に架け渡した状態で固定したものである。この場合、前記取付部材をボルト部材、クリップ部材又は圧入用ピンにすることができる。
【０００７】
また、前記樹脂ケースにコネクタ差込口を形成し、このコネクタ差込口の内部に前記端子の先端を突出させることもできる。
【発明の効果】
【０００８】
この発明に係るサーミスタ温度センサーは上記のように構成されているため、即ち、樹脂ケースにサーミスタ素子と端子とを設置し、前記樹脂ケースに前記端子をインサートするとともに取付部材を一体成形し、前記端子を前記サーミスタ素子の両端に接続するとともにこの接続部を前記樹脂ケース内に収容したサーミスタ温度センサーにおいて、前記樹脂ケースの側面に貫通した設置空間を形成し、前記サーミスタ素子をこの設置空間の両壁面に架け渡した状態で固定したため、従来必要とした収縮チューブ、結束バンド及び取り付けブラケットは不用となり部品点数の削減に供することができる。この結果、組み付け作業の作業能率を向上させることができるとともに維持管理がしやすいものである。
【０００９】
また、当該センサーの一部である取付部材を介して配線板等に固定するため、従来必要とした取付ブラケットは不用となり、取付け位置の自由度が大きくなり、汎用性は向上する結果、配線板等への取り付け作業がしやすく、作業コストも低額化するものである。
【００１０】
この場合、取り付け位置を考慮して、前記取付部材をボルト部材、クリップ部材又は圧入用ピンにすれば、その汎用性はさらに高まるものである。
【００１１】
また、前記樹脂ケースにコネクタ差込口を形成し、このコネクタ差込口の内部に前記端子の先端を突出させれば、このコネクタ差込口にコネクタを嵌着することによって、リード線を後工程で接続させることができるため、工程手順の自由度が従来よりも向上するものである。
【発明を実施するための最良の形態】
【００１２】
この発明に係るサーミスタ温度センサーは実施するにあたって下記の構成に最も主要な特徴を有する。
【００１３】
前記取付部材は、固定側(配線板等の相手部品)がボルト穴、タップ穴の場合ボルト部材にし、貫通孔、タップ穴等の場合クリップ部材にし、貫通穴（ストレート穴）の場合圧入用ピンにすることである。
【実施例】
【００１４】
以下、この発明の実施例を図面に基づいて説明する。
【００１５】
図１はこのサーミスタ温度センサーの正面図、図２は同平面図、図３は図におけるIII-III線拡大断面図、図４は第一実施例を固定する相手部品の斜視図、図５は図１のA部に相当する第二実施例の図、図６は第二実施例を固定する相手部品の斜視図、図７は図１のA部に相当する第三実施例の図、図８は第三実施例を固定する相手部品の斜視図である。
【００１６】
図１，２，３において、Ｓはサーミスタ温度センサーであり、１０はその樹脂ケースである。この樹脂ケース１０は円盤状をしている。１１は設置空間であり、前記樹脂ケース１０の側面に形成されている。この設置空間１１は前記樹脂ケース１０の側面を貫通している。
【００１７】
２０はサーミスタ素子であり、この設置空間１１に掛け渡された状態で固定されている。このサーミスタ素子２０によって温度測定される。２１,２１は端子であり、前記樹脂ケース１０にインサートされている。この端子２１，２１は根幹部において前記サーミスタ素子２０の両端に接続され、その先端は前記樹脂ケース１０の上面から上方に突出している。なお、前記端子２１，２１と前記サーミスタ素子２０の接続部は前記樹脂ケース１０内に収容されている。
【００１８】
次に、３０はコネクタ差込口であり、前記樹脂ケース１０の上面に一体形成されている。このコネクタ差込口３０は角筒状であり、前記端子２１，２１の突出した部分を囲んだ状態で上方に延びている。このコネクタ差込口３０にはリード線を備えたコネクタが内嵌め結合される。
【００１９】
次に、４０はボルト部材（この発明の取付部材に相当する）であり、前記樹脂ケース１０の下面に一体形成されている。このボルト部材４０はその頭部４１が前記樹脂ケース１０に連なり、そのボルト部４２は下方に延びている。そして、このボルト部４２を図４に示す配線板（固定部材）５０のボルト穴５１に螺子嵌めすることによって前記サーミスタ温度センサーＳを固定する。
【００２０】
図５は第二実施例であり、取付部材として「クリップ部材６０」を前記樹脂ケース１０の下面に一体形成したものである。このクリップ部材６０を図６に示す配線板（固定部材）５０の貫通穴５２にクリップ結合することによって前記サーミスタ温度センサーＳを固定する。
【００２１】
図７は第三実施例であり、取付部材として「圧入用ピン７０」を前記樹脂ケース１０の下面に一体形成したものである。この圧入用ピン７０を図８に示す配線板（固定部材）５０の貫通穴（ストレート穴）５３に圧入することによって前記サーミスタ温度センサーＳを固定する。
【産業上の利用可能性】
【００２２】
この発明は、部品点数を少なくすることによりサーミスタ温度センサーの組み付け作業の作業能率を向上させ、また、維持管理がしやすくしたものである。従来必要とした取付ブラケットを使用しないで取付け位置の自由度を大きくし、その汎用性を向上させる。よって、産業上の利用可能性は高いものである。
【図面の簡単な説明】
【００２３】
【図１】図１はこのサーミスタ温度センサーの正面図である。
【図２】図２は同平面図である。
【図３】図３は図におけるIII-III線拡大断面図である。
【図４】図４は第一実施例を固定する相手部品の斜視図である。
【図５】図５は図１のA部に相当する第二実施例の図である。
【図６】図６は第二実施例を固定する相手部品の斜視図である。
【図７】図７は図１のA部に相当する第三実施例の図である。
【図８】図８は第三実施例を固定する相手部品の斜視図である。
【符号の説明】
【００２４】
Ｓ  …  サーミスタ温度センサー
１０  …  樹脂ケース
１１  …  設置空間
２０  …  サーミスタ素子
２１  …  端子
３０  …  コネクタ差込口
４０  …  ボルト部材（取付部材）
４１  …  頭部（ボルト部材）
４２  …  ボルト部（ボルト部材）
５０  …  配線板（固定部材）
５１  …  ボルト穴
５２  …  貫通穴
５３  …  貫通穴（ストレート穴）
６０  …  ブッシュロック部材（取付部材）
７０  …  圧入用ピン（取付部材）
【図１】
0005308605.tif 000002
【図２】
0005308605.tif 000003
【図３】
0005308605.tif 000004
【図４】
0005308605.tif 000005
【図５】
0005308605.tif 000006
【図６】
0005308605.tif 000007
【図７】
0005308605.tif 000008
【図８】
0005308605.tif 000009